(57)【要約】【課題】利用サイトあるいは加工サイトでの取扱いを容易とする水和物生成薬剤と水とを含む被輸送物質の輸送方法を提供することを課題とする。【解決手段】水和物生成薬剤と水とが含まれる被輸送物質が出荷地１から一時保管場所２まで輸送される第１の段階と、第１の段階において輸送された被輸送物質が一時保管場所２で保管される第２の段階と、第２の段階において保管されていた被輸送物質が一時保管場所から利用サイト及び／又は加工サイト３に輸送される第３の段階とを有し、第２の段階は、被輸送物質が水和物生成薬剤の水溶液の状態にされる又は水溶液の状態で保管される工程を有し、第３の段階は、被輸送物質が水和物生成薬剤の水溶液の状態で輸送される工程を有する。【選択図】図１
2011026026.tif 000002
【特許請求の範囲】
【請求項１】
水和物生成薬剤と水とが含まれる被輸送物質が出荷地から一時保管場所まで輸送される第１の段階と、第１の段階において輸送された被輸送物質が一時保管場所で保管される第２の段階と、第２の段階において保管されていた被輸送物質が一時保管場所から利用サイトと加工サイトの少なくとも一方に輸送される第３の段階とを有し、
第２の段階が、被輸送物質が水和物生成薬剤の水溶液の状態にされる又は水溶液の状態で保管される工程を有し、第３の段階が、被輸送物質が水和物生成薬剤の水溶液の状態で輸送される工程を有する、
ことを特徴とする水和物生成薬剤の輸送方法。
【請求項２】
第１の段階は、被輸送物質が固体状態又はスラリ状態で輸送される工程を有することとする請求項１に記載の水和物生成薬剤の輸送方法。
【請求項３】
被輸送物質が缶に収容されていることとする請求項１又は請求項２に記載の水和物生成薬剤の輸送方法。
【請求項４】
第１の段階は、被輸送物質が海上貨物又は航空貨物として輸送される工程を有することとする請求項１ないし請求項３のいずれか一つに記載の水和物生成薬剤の輸送方法。
【請求項５】
第１の段階は、被輸送物質が陸上貨物として積込ポイントまで輸送され、海上貨物又は航空貨物として積込ポイントから荷卸ポイントまで輸送される工程を有することとする請求項１ないし請求項３のいずれか一つに記載の水和物生成薬剤の輸送方法。
【請求項６】
第３の段階は、被輸送物質が陸上貨物として輸送される工程を有することとする請求項４又は請求項５に記載の水和物生成薬剤の輸送方法。
【請求項７】
第３の段階の輸送に必要とされる時間が、第１の段階の輸送に必要とされる時間に比べて同じ又は短い、こととする請求項１ないし請求項６のいずれか一つに記載の水和物生成薬剤の輸送方法。
【請求項８】
第３の段階の輸送に必要とされる時間が、第２の段階において液体状態にされた又は液体状態で保管されていた被輸送物質が固体状態又はスラリ状態になるために必要とされる時間と比べて同じ又は短い、こととする請求項１ないし請求項７のいずれか一つに記載の水和物生成薬剤の輸送方法。
【請求項９】
水和物生成薬剤と水とが含まれる被輸送物質が缶に収容されて出荷地から一時保管場所まで輸送される第１の段階と、第１の段階において輸送された被輸送物質が一時保管場所で保管される第２の段階と、第２の段階において保管されていた被輸送物質が一時保管場所から利用サイトと加工サイトの少なくとも一方に輸送される第３の段階とを有し、
第１の段階は、被輸送物質が海上貨物又は航空貨物として輸送される工程を有し、第２の段階は、被輸送物質が水和物生成薬剤の水溶液の状態にされる又は水溶液の状態で保管される工程を有し、第３の段階は、被輸送物質が水和物生成薬剤の水溶液の状態で陸上貨物として輸送される工程を有するとともに、
第３の段階の輸送に必要とされる時間が、第１の段階の輸送に必要とされる時間又は第２の段階において液体状態にされた又は液体状態で保管されていた被輸送物質が固体状態又はスラリ状態になるために必要とされる時間に比べて同じ又は短い、ことを特徴とする水和物生成薬剤の輸送方法。
【請求項１０】
第１の段階又は第３の段階は、水和物生成薬剤と水から水和物が生成される温度未満の外気との熱交換が起こり得る輸送環境の下で被輸送物質が輸送される工程を有することとする請求項１ないし請求項９のいずれか一つに記載の水和物生成薬剤の輸送方法。
【請求項１１】
水とともに輸送されてきた水和物生成薬剤が一時保管場所で保管された後、前記一時保管場所から利用サイトと加工サイトの少なくとも一方に輸送される水和物生成薬剤の輸送方法であって、前記一時保管場所から利用サイトと加工サイトの少なくとも一方に輸送される前に前記一時保管場所において水和物生成薬剤が水溶液の状態にされる又は水溶液の状態で保管されるとともに、水和物生成薬剤が水溶液の状態で前記一時保管場所から利用サイトと加工サイトの少なくとも一方に輸送されることを特徴とする水和物生成薬剤の輸送方法。
【請求項１２】
水とともに輸送された後に一時保管場所で保管されていた水和物生成薬剤が利用サイトと加工サイトの少なくとも一方に輸送される水和物生成薬剤の輸送方法であって、前記一時保管場所から利用サイトと加工サイトの少なくとも一方に輸送される前に前記一時保管場所において水和物生成薬剤が水溶液の状態にされる又は水溶液の状態で保管されるとともに、水和物生成薬剤が水溶液の状態で前記一時保管場所から利用サイトと加工サイトの少なくとも一方に輸送されることを特徴とする水和物生成薬剤の輸送方法。
【発明の詳細な説明】
【技術分野】
【０００１】
本発明は、水和物生成薬剤の輸送技術に関し、より詳しくは、水和物生成薬剤と水とを含む被輸送物質が出荷地から利用サイトあるいは加工サイトまで輸送される間に一時保管場所において、水和物生成薬剤の水溶液の状態にされる又は水溶液の状態で保管される工程を有するものに関する。
【背景技術】
【０００２】
水和物生成薬剤の水溶液から水和物が生成する際には、その水和物に潜熱相当の熱エネルギーが蓄積され、水和物から水和物生成薬剤の水溶液に戻る際には、その水和物から潜熱相当の熱エネルギーが放出される。この現象に基づき熱エネルギーを有効に利用するためには、その利用に供するに足るだけの水和物生成薬剤が利用サイトあるいは加工サイトに確保される必要があり、従って輸送される必要がある。そのような輸送に関連する例として、従来、水和物生成薬剤を溶質とする相対的に高濃度の水溶液を利用サイトに輸送し、その利用サイトにおいて当該水溶液を所望の濃度に希釈して利用するという手法が知られている（特許文献１参照）。この手法は、それによれば、利用サイトにおいて必要とされる水和物生成薬剤又はその水溶液を高濃度の水溶液を希釈するという簡単な操作により準備することができ、水和物生成薬剤を利用サイトに到着した後遅滞なく利用することができるので、効率的であり、有益である。
【先行技術文献】
【特許文献】
【０００３】
【特許文献１】特開２００８−２３８１６９
【発明の概要】
【発明が解決しようとする課題】
【０００４】
上記の特許文献１の場合のように、水和物生成薬剤を液体状態で利用サイトあるいは加工サイトに輸送するためには、水和物生成薬剤の調達が済んでいることが前提となり、多くの場合、水和物生成薬剤を一時的に保管しておく必要も生じる。
【０００５】
しかし、水和物生成薬剤の輸送や保管の仕方、輸送時の気温と輸送時間などの条件によっては、水和物生成薬剤と水とが含まれる被輸送物質の中で水和物の生成が起こり、無視できないほどの分量が固体状態又はスラリ状態になってしまい、水和物生成薬剤を利用サイトあるいは加工サイトにおいて必要又は望ましいとされる状態で輸送することができなくなる。例えば、水和物生成温度（水和物生成薬剤の水溶液を冷却したときに水和物が生成し始める温度）未満の外気になる冬季に又は寒空の下で、調達した水和物生成薬剤が輸送される場合、より具体的には、被輸送物質が、水和物生成温度より高温に維持されることなく普通の海上貨物又は航空貨物として輸送される場合や容器を介して外気による冷却を受けながら長時間かけて輸送される場合（例えば、保温機能を有しない普通の金属製ドラム缶に被輸送物質が収容され、その金属製ドラム缶が水和物生成温度未満の気温の空間内に積み込まれて輸送される場合）には、水和物生成薬剤とその周囲の水とから水和物が生成され、被輸送物質のかなりの分量又は全量が固体状態又はスラリ状態になり、利用サイトあるいは加工サイトに到達する頃にはそこでの作業に必要又は望ましいとされる液体状態から程遠いものとなっていることが多い。
【０００６】
被輸送物質がそのままでは利用あるいは加工又はその準備を行うことができない状態で利用サイトあるいは加工サイトに輸送されてきた場合には、利用あるいは加工又はその準備の作業を開始する前に当該被輸送物質を融解させて水溶液の状態に戻すという余計な作業が当該利用サイトあるいは加工サイトにおいて必要になる（被輸送物質を実際に輸送する者と、利用サイトあるいは加工サイトにおいて実際に利用あるいは加工する者とは同一でない場合も多いので、そのままでは利用あるいは加工できない状態の被輸送物質を受け取る側の後者において当該被輸送物質を融解させる作業の負荷が増えるというのは、ある意味当然の話ともいえる。）。
【０００７】
本発明は、以上の問題に鑑みてなされたものであり、水和物生成薬剤と水とを含む被輸送物質を出荷地から利用サイトあるいは加工サイトに輸送する過程で、一時保管場所に保管した後、水和物生成薬剤の水溶液の状態で利用サイトあるいは加工サイトに輸送する技術を提供することを課題とする。
【課題を解決するための手段】
【０００８】
このような課題を解決するための手段としての本発明を以下に説明するのに先立ち、本発明において用いられる用語の意味又は解釈について解説しておく。
【０００９】
（１）「水和物生成薬剤」とは、水和物のゲスト物質（ゲスト分子）をいう。「水和物生成薬剤」の典型例として、ある種の第四級アンモニウム塩が知られている（特開２００８−１９５８４８参照）。
【００１０】
（２）「被輸送物質」とは、輸送される物質の意であり、本発明においては、別段の説明がある場合を除き、輸送される物質のうち水和物生成薬剤と水とを含むものを意味する。水和物生成薬剤と水とを含むものであれば、他の物質（別の水和物生成薬剤、添加物、不純物、夾雑物など）を含んでいても、本発明における「被輸送物質」に該当する。また、水和物生成薬剤と水とを含む物質として輸送されるものである限り、梱包されていると否とに拘らず、また容器に収容されていると否とに拘らず、「被輸送物質」に該当する（換言すれば、梱包材や容器のような外装物は「被輸送物質」には該当しない）。
【００１１】
水和物生成薬剤の水溶液の温度が低下すると、その水溶液の中に水和物生成薬剤をゲスト物質（ゲスト分子）とする水和物が生成し、液体状態から固体状態又はスラリ状態（水和物が水和物生成薬剤の水溶液に分散又は懸濁している状態）に変化する。固体状態又はスラリ状態になったものの温度が上昇すると、液体状態（水和物生成薬剤の水溶液の状態）に戻る。「被輸送物質」は、その温度に応じて、液体状態から固体状態若しくはスラリ状態に変化し、固体状態若しくはスラリ状態から液体状態に変化する。
【００１２】
（３）「海上貨物」、「航空貨物」及び「陸上貨物」とは、運輸手段（即ち船舶、航空機、鉄道又は車両などを含む運輸全般的な手段）のうち、それぞれ、海上運輸手段（船舶その他の海上移動手段を用いる運輸手段）、航空運輸手段（航空機その他の航空移動手段を用いる運輸手段）及び陸上運輸手段（鉄道、車両その他の陸上移動手段を用いる運輸手段）により輸送される貨物をいう。
【００１３】
（４）「輸送」には、車や船・航空機などで人や貨物を運ぶこと（岩波書店発行：広辞苑〔第五版〕）のみに止まらず、何らかの運輸手段により行われるものである限り、広く移動全般が含まれる（この場合、移動距離の長短は問わない）。
【００１４】
（５）出荷地」、「利用サイト」と「加工サイト」、「一時保管場所」、「積込ポイント」及び「荷卸ポイント」は、それぞれの役割を持った場所を意味する。即ち、「出荷地」とは被輸送物質を出荷する場所の意であり、「利用サイト」と「加工サイト」とはそれぞれ被輸送物質を利用やその準備をする場所と加工やその準備をする場所の意であり、「一時保管場所」とは、出荷地から出荷された被輸送物質を、「利用サイト」あるいは「加工サイト」に輸送する途中で、一時的に保管する場所の意である。
【００１５】
出荷地の国と、「一時保管場所」がある国あるいは「利用サイト」又は「加工サイト」がある国とは、異なる国であってもよい。
【００１６】
「加工サイト」における被輸送物質の加工には、所望の水和物又は水和物スラリを得るための被輸送物質の前処理、後処理、希釈、溶解、物質の添加や除去、成分調整等が含まれる。「利用サイト」における被輸送物質の利用の準備には、被輸送物質を用いる設備の設置、建造、改良、修復等やその設備において被輸送物質を用いるための当該被輸送物質の補給、保守、管理等が含まれる。
【００１７】
「一時保管場所」の典型例は、倉庫であるが、これに限定されない。
【００１８】
「積込ポイント」とは、出荷地から出荷された対象物品を、目的地に輸送するために運輸手段に積み込む場所の意であり、「荷卸ポイント」とは、運輸手段に積み込まれている対象物品を荷卸し（荷降し）する場所の意である。「積込ポイント」及び「荷卸ポイント」には、それぞれ、対象物品を積み込む港及び荷卸しする港（運輸手段が海運手段である場合）、対象物品を積み込む空港及び荷卸しする空港（運輸手段が航空運輸手段である場合）、対象物品を積み込む駅及び荷卸しする駅（運輸手段が鉄道である場合）並びに、対象物品を積み込むターミナル及び荷卸しするターミナル又は対象物品を積み込む基地及び荷卸しする基地（運輸手段が船舶、鉄道、貨物車などである場合）が含まれる。
【００１９】
「出荷地」、「利用サイト」、「加工サイト」、「一時保管場所」、「積込ポイント」及び「荷卸ポイント」のうちの少なくとも二つが、（ア）同じ敷地内、建屋内その他の場所にある、（イ）同じ国の中にある、又は（ウ）同じ国の中の同じ敷地内、建屋内その他の場所にある場合であっても、それらは、それぞれの役割を持った場所の意である。「出荷地」及び「積込ポイント」は、互いに隣接又は近接して配置されているためにいずれも何らかの施設の一部を構成するものとして認め得る外形であるとしても、それぞれの役割を持った場所である。「荷卸ポイント」及び「一時保管場所」、「一時保管場所」及び「利用サイト」（又は「加工サイト」）、「利用サイト」及び「加工サイト」などについても同様であり、互いに隣接又は近接して配置されているためにいずれも何らかの施設の一部を構成するものとして認め得る外形であるとしても、それぞれの役割を持った場所である。
【００２０】
「一時保管場所」と「加工サイト」とが同じ敷地内、建屋内その他の場所にある場合（上記（ア）の場合）或いは互いに隣接又は近接して配置されているためにいずれも何らかの施設の一部を構成するものとして認め得る外形である場合に該当する典型的な例は、対象物品を「一時保管場所」で加工する場合（換言すれば、「一時保管場所」と「加工サイト」の少なくとも一部とが同じ場合）である。そのような場合であっても、「一時保管場所」と「加工サイト」は、それぞれの役割を持った場所として定義される。
【００２１】
「利用サイト」と「加工サイト」とが同じ敷地内、建屋内その他の場所にある場合（上記（ア）の場合）或いは互いに隣接又は近接して配置されているためにいずれも何らかの施設の一部を構成するものとして認め得る外形である場合に該当する典型的な例は、対象物品を「利用サイト」において利用する又はその準備をする際に、その場又はその場に隣接又は近接した場所で、予め当該対象物品を加工する場合である（例えば水和物生成薬剤を主成分とする潜熱蓄熱性物質を用いた潜熱蓄熱システムが特定敷地に設置され、そこで運転され、保守・管理がなされる際、水和物生成薬剤が対象物品として当該特定敷地内の、潜熱蓄熱システムの設置場所に近接した場所に運び込まれ、潜熱蓄熱システムにおける使用に適した組成に調整されるというケースでは、潜熱蓄熱システムの設置場所が「利用サイト」に該当し、運び込まれた水和物生成薬剤が潜熱蓄熱システムにおける使用に適した組成に調整される作業場所が「加工サイト」に該当するところ、潜熱蓄熱システムの設置場所と水和物生成薬剤の組成調整の作業場所とはいずれも当該特定場所にあると当時に、互いに近接した場所にあるといえる。「利用サイト」において水和物生成薬剤を希釈する手法を開示する既述の従来技術（特許文献１）も、「利用サイト」と「加工サイト」とが同じ敷地内、建屋内その他の場所にある場合の一例である。）。
【００２２】
（６）「缶」とは、ガソリン、灯油のような燃料油や塗料、溶剤、化学薬品、医薬原料などの工業材料とその製品といった物品を入れて運搬・貯蔵に用いられる容器をいう。本発明においては、「缶」の材質は問わず、金属製缶であっても、樹脂製缶であってもよく、内面が樹脂加工された金属製缶であってもよい。本発明における「缶」は、２００リットル以上のドラム缶が典型例であり、容積が２００リットル、４４ガロン又は５５ガロンのドラム缶がより具体的な典型例である。
【００２３】
既述の課題は、次の本発明の第１乃至第４の形態のいずれによっても解決される。
【００２４】
＜第１の形態＞
本発明の第１の形態に係る水和物生成薬剤の輸送方法は、水和物生成薬剤と水とが含まれる被輸送物質が出荷地から一時保管場所まで輸送される第１の段階と、第１の段階において輸送された被輸送物質が一時保管場所で水溶液の状態にされる又は水溶液の状態で保管される第２の段階と、第２の段階において保管されていた被輸送物質が一時保管場所から利用サイトと加工サイトの少なくとも一方に輸送される第３の段階とを有し、第２の段階が、被輸送物質が水和物生成薬剤の水溶液の状態にされる又は水溶液の状態で保管される工程を有し、第３の段階が、被輸送物質が水和物生成薬剤の水溶液の状態で輸送される工程を有することを特徴とする。
【００２５】
本発明において、第１の段階は被輸送物質が固体状態又はスラリ状態で輸送される工程であるとすることができる。
【００２６】
また、本発明において、被輸送物質が缶に収容されているとすることができる。
【００２７】
本発明において、第１の段階は被輸送物質が海上貨物又は航空貨物として輸送される工程を有するようにすることができる。
【００２８】
本発明において、第１の段階は被輸送物質が陸上貨物として積込ポイントまで輸送され、海上貨物として積込ポイントから荷卸ポイントまで輸送される工程を有するようにすることができる。
【００２９】
本発明において、第３の段階は被輸送物質が陸上貨物として輸送される工程を有する工程を有するようにすることができる。
【００３０】
本発明において、第３の段階の輸送に必要とされる時間は第１の段階の輸送に必要とされる時間に比べて同じ又は短いこととすることができる。
【００３１】
さらには、本発明において、第３の段階の輸送に必要とされる時間は第２の段階において液体状態にされた又は液体状態で保管されていた被輸送物質が固体状態又はスラリ状態になるために必要とされる時間と比べて同じ又は短いこととすることができる。
【００３２】
本発明において、第１の段階又は第３の段階は水和物生成薬剤と水から水和物が生成される温度未満の外気との熱交換が起こり得る輸送環境の下で被輸送物質が輸送される工程を有することとしてもよい。
【００３３】
＜第２の形態＞
本発明の第２の形態に係る水和物生成薬剤の輸送方法は、水和物生成薬剤と水とが含まれる被輸送物質が缶に収容されて出荷地から一時保管場所まで輸送される第１の段階と、第１の段階において輸送された被輸送物質が一時保管場所で保管される第２の段階と、第２の段階において保管されていた被輸送物質が一時保管場所から利用サイトと加工サイトの少なくとも一方に輸送される第３の段階とを有し、第１の段階は、被輸送物質が海上貨物又は航空貨物として輸送される工程を有し、第２の段階は、被輸送物質が水和物生成薬剤の水溶液の状態にされる又は水溶液の状態で保管される工程を有し、第３の段階は、被輸送物質が水和物生成薬剤の水溶液の状態で陸上貨物として輸送される工程を有するとともに、第３の段階の輸送に必要とされる時間が、第１の段階の輸送に必要とされる時間又は第２の段階において液体状態にされた又は液体状態で保管されていた被輸送物質が固体状態又はスラリ状態になるために必要とされる時間に比べて同じ又は短い、ことを特徴とする。
【００３４】
本発明において、第１の段階又は第３の段階は水和物生成薬剤と水から水和物が生成される温度未満の外気との熱交換が起こり得る輸送環境の下で被輸送物質が輸送される工程を有することとしてもよい。
【００３５】
なお、本発明における被輸送物質は、缶に収容されているものに限定されず他の収容状態であってよく、また、梱包されているものにも限定されず他の搬送可能形態でもよい。
【００３６】
＜第３の形態＞
本発明の第３の形態に係る水和物生成薬剤の輸送方法は、水とともに輸送されてきた水和物生成薬剤が一時保管場所で保管された後、前記一時保管場所から利用サイトと加工サイトの少なくとも一方に輸送される水和物生成薬剤の輸送方法であって、前記一時保管場所から利用サイトと加工サイトの少なくとも一方に輸送される前に前記一時保管場所において水和物生成薬剤が水溶液の状態にされる又は水溶液の状態で保管されるとともに、水和物生成薬剤が水溶液の状態で前記一時保管場所から利用サイトと加工サイトの少なくとも一方に輸送されることを特徴とする。
【００３７】
＜第４の形態＞
本発明の第４の形態に係る水和物生成薬剤の輸送方法は、水とともに輸送された後に一時保管場所で保管されていた水和物生成薬剤が利用サイトと加工サイトの少なくとも一方に輸送される水和物生成薬剤の輸送方法であって、前記一時保管場所から利用サイトと加工サイトの少なくとも一方に輸送される前に前記一時保管場所において水和物生成薬剤が水溶液の状態にされる又は水溶液の状態で保管されるとともに、水和物生成薬剤が水溶液の状態で前記一時保管場所から利用サイトと加工サイトの少なくとも一方に輸送されることを特徴とする。
【発明の効果】
【００３８】
以上のごとくの本発明の第１乃至第４の各形態によれば、次のような効果を得る。
【００３９】
＜第１の形態による効果＞
（ｉ）本発明の第１の形態では、被輸送物質の輸送や保管の仕方、輸送時の気温と輸送時間などの条件によって第１の段階で被輸送物質の一部又は全部が固体状態又はスラリ状態になっていたとしても、第２の段階で被輸送物質の全部が液体状態にされ又は液体状態で保管され、第３の段階で液体状態で利用サイトと加工サイトの少なくとも一方に輸送される。従って、本発明によれば、被輸送物質がそのままでは利用あるいは加工又はその準備を行うことができない状態で利用サイトと加工サイトの少なくとも一方に輸送されることがないので、利用又は加工の作業を開始する前に当該被輸送物質を融解させて水溶液の状態に戻すといった余計な作業が利用サイトと加工サイトの少なくとも一方において無用になるという基本的効果を得る（この基本的効果は、利用サイトと加工サイトの少なくとも一方において必要になる作業を、被輸送物質の融解作業とその他の作業とを分離したうえで、前者の作業を利用サイトと加工サイトの少なくとも一方とは別の場所（一時保管場所）で行うことにより得られる効果であるともいえる。）。また、その結果として、利用サイトと加工サイトの少なくとも一方において水和物生成薬剤の水溶液を希釈するという簡単な操作により、その場で所望の濃度の水溶液を準備することができるというメリットを享受することができる。
【００４０】
本発明は、（ａ）第１の段階の輸送中（特に、少なくとも、一時保管場所に距離的に近づく輸送の後半から終盤にかけて）外気温が水和物生成温度未満になる場合及び（ｂ）第３の段階の輸送中（特に、少なくとも、利用サイトと加工サイトの少なくとも一方に距離的に近づく輸送の後半から終盤にかけて）外気温が水和物生成温度未満になる場合の少なくとも一方において、より奏功的であり、有益である。
【００４１】
なお、一時保管場所から利用サイトと加工サイトの少なくとも一方に被輸送物質が液体状態で輸送されるためには、一時保管場所において、当該被輸送物質が、常時、液体状態で保管されている必要はなく、一時保管場所から利用サイトと加工サイトの少なくとも一方に輸送される直前において液体状態になるように保管されていれば足りる。
【００４２】
因みに、被輸送物質が液体状態で利用サイトと加工サイトの少なくとも一方に輸送されるために、一時保管場所において、常時、液体状態で保管されている必要がないのであれば、「一時保管場所から利用サイトと加工サイトの少なくとも一方までの被輸送物質の輸送を、加熱手段を備える運輸手段を用いて行いさえすれば、被輸送物質が液体状態で利用サイトと加工サイトの少なくとも一方に輸送される（従って、それで目的を達成することができる）」という見方もできる。
【００４３】
しかし、そのようなやり方は、一時保管場所から利用サイトと加工サイトの少なくとも一方までの輸送に必要とされる時間が水和物が融解して被郵送物質全体が液体状態になるほど長い場合には、被輸送物質が液体状態で利用サイトと加工サイトの少なくとも一方に輸送されるので、奏効的であり得ても、一時保管場所と利用サイトと加工サイトの少なくとも一方とが同じ敷地内や建屋内にある場合その他、一時保管場所から利用サイトと加工サイトの少なくとも一方までの輸送に必要とされる時間が水和物が融解して被輸送物質全体が液体状態になるほど長くない場合には、被輸送物質が液体状態で利用サイトと加工サイトの少なくとも一方に輸送されないので奏功的とはいえない。また、第３の段階で採用できる運輸手段が加熱手段を備えるものに限定されるという難点がある。それ故、そのようなやり方は採用できない。
【００４４】
これに対して、本発明においては、被輸送物質が一箇所（即ち一時保管場所）に集められて、そこで水和物生成薬剤の水溶液の状態にされる又は水溶液の状態で保管されるので、そのような保管に替えて加熱機能又は保温機能（以下「液体状態保持機能」という場合がある）を有する運輸手段により輸送される場合のような問題は生じない。尤もこのことは、「一時保管場所から利用サイトと加工サイトの少なくとも一方までの被輸送物質の輸送が液体状態保持機能を有する運輸手段を用いて行われる」という技術的事項が、本発明の射程外になるということまで意味するものではない（本発明の奏効性が認められる範囲であれば、第３の段階における被輸送物質の運輸手段は、液体機能保持機能を有するものであっても、有しないものであってもよい。）。
【００４５】
第２の段階については、被輸送物質が水和物生成薬剤の水溶液の状態にされる又は水溶液の状態で保管される工程を有すれば足りるのであり、保管として認め得る全時間中、常時、被輸送物質が水和物生成薬剤の水溶液の状態にされていなければならない又は水溶液の状態で保管されていなければならない、という意味ではない。
【００４６】
本発明は、上記の基本的効果に加え、限定的形態において、次のような付加的効果をもたらす。
【００４７】
（ii）本発明において、第１の段階が被輸送物質が固体状態又はスラリ状態で輸送される工程を有している場合、例えば、被輸送物質が出荷地から積荷ポイントに輸送されるまでの間そして積荷ポイントから荷卸ポイントに輸送されるまでの間の少なくとも一方において輸送の過程で外気により冷却され、そこに潜熱相当の熱エネルギーが蓄積された状態（即ち固体状態又はスラリ状態）になり、その状態のまま荷卸ポイントに輸送されるというケースにおいても、基本的効果を奏する。
【００４８】
（iii）本発明において、被輸送物質が缶に収容されている場合には、被輸送物質を、別の容器に移し替える工程を経ることなく、缶単位で、出荷地から一時保管場所を経由して利用サイトと加工サイトの少なくとも一方に輸送される。
【００４９】
被輸送物質が缶に収容されていると、缶と外気との接触により被輸送物質が冷却されて固体状態又はスラリ状態になり得る。そのような事態は、特に、第１の段階において懸念され、缶が金属のような熱伝導性の高い材料で作られている場合に顕著となる。しかし、第２の段階で、被輸送物質が水和物生成薬剤の水溶液の状態になり、第３の段階で、被輸送物質が液体状態で利用サイトと加工サイトの少なくとも一方に輸送されるので、そのような缶に収容されることに起因する問題は生じない。
【００５０】
利用サイトと加工サイトの少なくとも一方では、被輸送物質の利用若しくは加工又はその準備を缶単位で行うことができ、便利である。
【００５１】
被輸送物質が缶に収容されている場合、その輸送に一般的な貨物輸送手段を採用することができるというメリットがある。例えば、被輸送物質が海上輸送される場合、その輸送手段として、化学薬品運搬船のような特殊液体運搬船や、保温船のような特殊船でなく、コンテナ船のような定期船その他の一般貨物船を採用することができ、従って輸送費用の低減を図ることができる。
【００５２】
（iv）本発明において、第１の段階が、被輸送物質が海上貨物又は航空貨物として輸送される工程を有している場合には、通常、被輸送物質は、外気による強い冷却を受け水和物生成温度未満になり、その結果第１の段階の輸送終了時には固体状態又はスラリ状態になり易くなるという条件下におかれる。この条件がより厳しくなるのは、外気が水和物生成温度未満になりがちな冬季にあるいは寒冷地から若しくは寒冷地を経由して、被輸送物質が輸送される場合である。
【００５３】
しかし、第２の段階で、被輸送物質が水和物生成薬剤の水溶液の状態になり、第３の段階で、被輸送物質が液体状態で利用サイトと加工サイトの少なくとも一方に輸送される。それ故、第１の段階で、被輸送物質が海上貨物又は航空貨物として輸送される場合であっても、基本的効果を奏する。
【００５４】
出荷地から一時保管場所へ被輸送物質が輸送される場合には、海上貨物又は航空貨物として被輸送物質が輸送される工程の前後のうち少なくとも一方において、陸上貨物として輸送される工程が含まれていてもよい。
【００５５】
なお、被輸送物質が海上貨物又は航空貨物として輸送される際、液体状態保持機能を有する海上運輸手段又は航空運輸手段により輸送されれば、被輸送物質が外気により冷却されるようなことはない。しかし、液体状態保持機能を有する運輸手段の採用は、輸送費用（延いては物流のトータル・コスト）の増加の原因になる。また、引き続く第２の段階で被輸送物質が水和物生成薬剤の水溶液の状態に保管されるのであれば、第１の段階で、被輸送物質が水溶液の状態で輸送されねばならないとする技術的必要性が乏しいし、あえて輸送費用が嵩むような不経済な選択が必要であるとはいえない。従って、第１の段階で液体状態保持機能を有しない通常の海上運輸手段又は航空運輸手段により被輸送物質が輸送される方が、被輸送物質が液体状態で利用サイトと加工サイトの少なくとも一方に輸送されるという観点からより合理的であり、輸送費用をより低減することができ、好ましい水和物生成薬剤の輸送方法となる。尤もこのことは、第１の段階で被輸送物質が液体状態保持機能を有しない海上運輸手段又は航空運輸手段により輸送されるという技術的事項が、本発明の形態の射程外になることを意味するものではない（本発明の奏効性が認められる範囲であれば、第１の段階における被輸送物質の運輸手段は、液体状態保持機能を有するものであっても、有しないものであってもよい。）。
【００５６】
（v）次に、本発明において、第１の段階が、被輸送物質が陸上貨物として積込ポイントまで輸送され、海上貨物又は航空貨物として積込ポイントから荷卸ポイントまで輸送される工程を有している場合には、前出の第１の段階が、被輸送物質が海上貨物又は航空貨物として輸送される工程を有している場合の形態と共通しているので、その共通部分については、同様の効果を奏する。
【００５７】
また、上記の形態は、第１の段階が、被輸送物質が陸上貨物として輸送される工程を有している。この場合被輸送物質を陸上貨物として輸送する手段は、液体状態保持機能を有する陸上運輸手段であってもよいが、液体状態保持機能を有しない通常の運輸手段の方が好ましい。液体状態保持機能を有しない通常の運輸手段により被輸送物質が輸送される方が輸送費用がより低減されるからであり、また、第１の段階でわざわざ液体状態保持機能を有する運輸手段を採用してまでして被輸送物質を液体状態にしなくても、第２の段階で液体状態で保存され、その状態で利用サイトと加工サイトの少なくとも一方に輸送されるからである。
【００５８】
（vi）また、本発明において、第３の段階が、被輸送物質が陸上貨物として輸送される工程を有していて、この第３の段階が、被輸送物質が陸上貨物として輸送されることに限定されている場合には、貨物が受ける外気の影響、特に外気による冷却の程度は、通常、海上運輸手段又は航空運輸手段による輸送時より、陸上運輸手段による輸送時の方が小さい。そのため、第３の段階において被輸送物質が陸上貨物として取り扱われた方が、通常、より長時間液体状態のままで輸送される易いことになり、従って、被輸送物質が液体状態で利用サイトと加工サイトの少なくとも一方に輸送されるという観点から、また一時保管場所で被輸送物質が液体状態にされる又は液体状態で保管されるように投入された熱エネルギーが有効活用されるという観点からも、より合理的であり、好ましい水和物生成薬剤の輸送が実現される。
【００５９】
なお、陸上運輸手段として保温機能を有するものが採用されると、被輸送物質が液体状態であり続けることができる時間が更に長くなる。それ故、例えば一時保管場所と利用サイトと加工サイトの少なくとも一方との間の道程が長い場合には、その採用は望ましいものとなる。
【００６０】
（vii）さらに、本発明において、第３の段階の輸送に必要とされる時間が、第１の段階の輸送に必要とされる時間に比べて同じ又は短い場合には、第１の段階の輸送に必要とされる時間が相対的に長いと、被輸送物質が輸送中に受ける外気の影響、特に外気による冷却の程度が相対的に大きくなるのが通常であるところ、第２の段階で被輸送物質が液体状態にされる又は液体状態で保管されるのであれば、それにより第１の段階における外気の影響が実質的にない状態にすることができる。そして、第３の段階の輸送に必要とされる時間が相対的に短いと、輸送中に受ける外気の影響、特に外気による冷却の程度が相対的に小さくなるのが通常であるので、一時保管場所にて液体状態にされた又は液体状態で保管されていた被輸送物質がより長時間液体状態のままで輸送されるようになる。それ故、被輸送物質が利用サイトと加工サイトの少なくとも一方に液体状態で輸送されるという観点から、また一時保管場所で被輸送物質が液体状態にされる又は液体状態で保管されるように投入された熱エネルギーが有効活用されるという観点からも、より合理的であり、好ましい水和物生成薬剤の輸送が実現される。
【００６１】
（viii）さらに、本発明において、第３の段階の輸送に必要とされる時間が、第２の段階において液体状態にされた又は液体状態で保管されていた被輸送物質が固体状態又はスラリ状態になるために必要とされる時間と比べて同じ又は短い場合には、運輸手段として液体状態保持機能を有しないものを選択されても、被輸送物質が液体状態のままで利用サイトと加工サイトの少なくとも一方に輸送される。それ故、被輸送物質が利用サイトと加工サイトの少なくとも一方に液体状態で輸送されるという観点から、また一時保管場所で被輸送物質が液体状態にされる又は液体状態で保管されるように投入された熱エネルギーが有効活用されるという観点からも、より合理的であり、好ましい水和物生成薬剤の輸送が実現される。
【００６２】
なお、第３の段階の輸送に係る経路（即ち一時保管場所から利用サイトと加工サイトの少なくとも一方に至るまでの輸送経路）が複数個ある場合には、その複数個の輸送経路のうち、第３の段階の輸送に必要とされる時間が、第２の段階において液体状態にされた又は保管されていた被輸送物質が固体状態又はスラリ状態になるために必要とされる時間と比べて同じになる又は短くなるものが選択されることが、被輸送物質が液体状態で利用サイトと加工サイトの少なくとも一方に輸送されるという観点から、また一時保管場所で被輸送物質が液体状態にされる又は液体状態で保管されるように投入された熱エネルギーが有効活用されるという観点からも、より合理的であり、好ましい。第３の段階の輸送に必要とされる時間が、第２の段階において液体状態にされた又は液体状態で保管されていた被輸送物質が固体状態又はスラリ状態になるために必要とされる時間と比べて同じ又は短くなるような輸送経路が複数個ある場合には、その複数個の輸送経路のうち、輸送費用、納期その他の条件が充足されるものが選択される。
【００６３】
また、一時保管場所が複数あり、利用サイトあるいは加工サイトが一つであるとき、一時保管場所が一つあり、利用サイトと加工サイトが複数あるとき、或いはこれに加えて、一時保管場所も複数あるときには、第３の段階の輸送に必要とされる時間が、第２の段階において液体状態にされた又は液体状態で保管されていた被輸送物質が固体状態又はスラリ状態になるために必要とされる時間と比べて同じ又は短くなるような輸送経路が選択され、そのような輸送経路が複数ある場合には、その中から輸送費用、納期その他の条件を充足する輸送経路が選択される。
【００６４】
第３の段階の輸送に必要とされる時間が、第２の段階において液体状態で保管されていた被輸送物質が固体状態又はスラリ状態になるために必要とされる時間と比べて同じ又は短くなるか否かという観点から輸送経路の候補が絞り込まれるのではなく、輸送費用、納期その他の条件を充足するか否かという観点から輸送経路の候補が先ず絞り込まれ、その候補の中から、第３の段階の輸送に必要とされる時間が、第２の段階において液体状態にされた又は液体状態で保管されていた被輸送物質が固体状態又はスラリ状態になるために必要とされる時間と比べて同じ又は短くなるか否かという観点から、更に候補が絞り込まれる、という手順で輸送経路が選択されてもよい。
【００６５】
本発明において、第１の段階又は第３の段階が、水和物生成薬剤と水が含まれる被輸送物質が、水和物生成温度未満の外気との熱交換が起こり得る輸送環境の下で輸送される工程を有すると、その段階で被輸送物質が固体状態又はスラリ状態になる又はなり易くなる。このため本発明の基本的効果がより顕著で有益なものとなる。
【００６６】
＜第２の形態による効果＞
（ａ）本発明の第２の形態においては、被輸送物質が缶に収容されて、第１の段階では海上貨物又は航空貨物として、第３の段階では陸上貨物として、液体状態にされる又は液体状態で保管される一時保管場所を経由して利用サイトと加工サイトの少なくとも一方に輸送される。そして、第３の段階の輸送に必要とされる時間が、第１の段階の輸送に必要とされる時間又は第２の段階において液体状態にされた又は液体状態で保管されていた被輸送物質が固体状態又はスラリ状態になるために必要とされる時間に比べて同じ又は短い。従って、第２の形態によれば、第１の形態による効果における（iii），（iv），（vi），（vii）そして（viii）の効果を奏することになる。
【００６７】
また、最適な輸送経路の選択により、その場合の（viii）の効果と同様の効果を奏する。
【００６８】
（ｂ）本発明において、第１の段階又は第３の段階が、水和物生成温度未満の外気との熱交換が起こり得る輸送環境の下で被輸送物質が輸送される工程を有すると、その段階で被輸送物質が固体状態又はスラリ状態になる又はなり易くなる。このため本発明の基本的効果がより顕著で有益なものとなる。
【００６９】
＜第３及び第４の各形態による効果＞
第３及び第４の各形態は、核心的な技術的事項（一時保管場所から利用サイトと加工サイトの少なくとも一方に輸送される前に前記一時保管場所において水和物生成薬剤が水溶液の状態にされる又は水溶液の状態で保管されるという点）が第１の形態と共通するので、その限りにおいて、本発明の基本的効果を奏する。
【図面の簡単な説明】
【００７０】
【図１】本発明の第１の形態についての基本形態としての輸送経路を示す図である。
【図２】第１の形態の変形例を示す図である。
【図３】第２の形態についての基本形態としての輸送経路を示す図である。
【図４】第２の形態の変形例を示す図である。
【図５】第３の形態についての輸送経路を示す図であり、（ａ）は基本形態、（ｂ）は変形例である。
【発明を実施するための形態】
【００７１】
以下、添付図面に基づき本発明の実施の形態を説明する。実施形態について必要に応じて図を参照しつつ説明するが、各図において同じ部分又は相当若しくは共通する部分にはこれと同じ符号を付し、その説明を省略する。本発明は、図面に記載された実施の形態に限定されない。
【００７２】
＜第１の実施形態＞
図１は本発明の水和物生成薬剤の輸送方法としての第１の実施形態の基本構成を示している。図１において、○印内の符号（数字）は場所を示し、１は出荷地、２は一時保管場所、そして３は利用サイトあるいは加工サイトを示している。また、符号Ｔは被輸送物質を輸送するに要する時間で、例えば、Ｔ＜１−２＞は出荷地１から一時保管場所２への輸送に必要とされる時間を示している。同様にして、Ｔ＜２−３＞は一時保管場所２から利用サイトあるいは加工サイト３への輸送に必要とされる時間である。
【００７３】
図１の実施形態における水和物生成薬剤の輸送方法は、水和物生成薬剤と水とを含む被輸送物質が出荷地１から一時保管場所２まで輸送される第１の段階と、この第１の段階において輸送された被輸送物質が一時保管場所２で保管される第２の段階と、この第２の段階において保管されていた被輸送物質が一時保管場所２から利用サイト及び／又は加工サイト３に輸送される第３の段階とを経て行われる。上記第２の段階では、被輸送物質が水和物生成薬剤の水溶液の状態にされ又は水溶液の状態で保管され、第３の段階では、被輸送物質は水和物生成薬剤の水溶液の状態で輸送される。
【００７４】
本実施形態においては、被輸送物質の輸送や保管の仕方、輸送時の気温と輸送時間などの条件によって第１の段階で被輸送物質の一部又は全部が固体状態又はスラリ状態になっていたとしても、第２の段階で被輸送物質の全部が液体状態にされ、第３の段階で液体状態で利用サイトと加工サイトの少なくとも一方に輸送される。従って、被輸送物質がそのままでは利用若しくは加工又はその準備を行うことができない状態で利用サイトと加工サイトの少なくとも一方に輸送されることがないので、利用やその準備又は加工やその準備の作業を開始する前に当該被輸送物質を融解させて水溶液の状態に戻すといった余計な作業が利用サイトと加工サイトの少なくとも一方において無用になる。また、その結果又は副次的に、利用サイトと加工サイトの少なくとも一方において水和物生成薬剤の水溶液を希釈するという簡単な操作により、その場で所望の濃度の水溶液を準備することができるというメリットを享受することができる。
【００７５】
本実施形態は、（ａ）第１の段階の輸送中（特に、少なくとも、一時保管場所に距離的に近づく輸送の後半から終盤にかけて）外気温が水和物生成温度未満になる場合、（ｂ）第３の段階の輸送中（特に、少なくとも、利用サイトと加工サイトの少なくとも一方に距離的に近づく輸送の後半から終盤にかけて）外気温が水和物生成温度未満になる場合或いは、（ｃ）第１の段階の輸送中（特に、少なくとも、一時保管場所に距離的に近づく輸送の後半から終盤にかけて）及び第３の段階の輸送中（特に、少なくとも、利用サイトと加工サイトの少なくとも一方に距離的に近づく輸送の後半から終盤にかけて）外気温が水和物生成温度未満である場合において、より奏功的であり、有益である。
【００７６】
本実施形態において、被輸送物質が、(ア)缶に収容されて輸送されること、（イ）第１の段階で海上貨物又航空貨物として輸送されること、（ウ）第１の段階で陸上貨物として積込ポイントまで輸送され、海上貨物として積込ポイントから荷卸ポイントまで輸送されること、そして（エ）第３の段階で陸上貨物として輸送されることは、いずれも選択な事項である。
【００７７】
尤も、被輸送物質が缶に収容されて輸送されることのメリットは多い。例えば、被輸送物質が缶に収容されたまま（従って別の容器へ移し替えられることなく）、缶単位で、出荷地から一時保管場所を経由して利用サイトと加工サイトの少なくとも一方に輸送されると、物流のトータル・コストの増加が抑制される。利用サイトと加工サイトの少なくとも一方では、被輸送物質の利用若しくは加工又はその準備を缶単位で行うことができ、作業上便利である。
【００７８】
また、被輸送物質が缶に収容されていると、缶と外気との接触により被輸送物質が冷却されて固体状態又はスラリ状態になり得る。そのような事態は、特に、第１の段階において懸念され、缶が金属のような熱伝導性の高い材料で作られている場合に顕著となる。しかし、第２の段階で、被輸送物質が水和物生成薬剤の水溶液の状態にされる又は水溶液の状態で保管され、第３の段階で液体状態のままで利用サイトと加工サイトの少なくとも一方に輸送されるので、缶に収容されることに起因する問題は生じない。
【００７９】
第１の段階で被輸送物質が海上貨物又は航空貨物として輸送される工程を有していると、通常、被輸送物質は、外気による強い冷却を受けて水和物生成温度未満になり、第１の段階の輸送終了時には固体状態又はスラリ状態になり易くなるという条件下におかれる。この条件がより厳しくなるのは、外気が水和物生成温度未満になりがちな冬季にあるいは寒冷地から若しくは寒冷地を経由して、被輸送物質が輸送される場合である（因みに、水和物生成薬剤を主成分とする潜熱蓄熱性物質を用いた潜熱蓄熱システムが冷房目的で使用されるケースでは、冷房負荷がない冬季に当該潜熱蓄熱システムの設置工事が行われることが多く、従って外気温が水和物生成温度未満になり得る冬季に、調達された水和物生成薬剤が輸送される場合も多い。）。
【００８０】
しかし、第２の段階で、被輸送物質が水和物生成薬剤の水溶液の状態にされ又は水溶液の状態で保管され、第３の段階で、被輸送物質が液体状態で利用サイトと加工サイトの少なくとも一方に輸送されるので、第１の段階で、被輸送物質が海上貨物又は航空貨物として輸送される場合であっても、本発明の基本的効果を奏する。
【００８１】
第１の段階で、出荷地から一時保管場所へ被輸送物質が輸送される場合には、海上貨物又は航空貨物として被輸送物質が輸送される工程の前後のうち少なくともいずれか一方において、陸上貨物として輸送される工程が含まれていてもよい。
【００８２】
また、貨物が受ける外気の影響（特に外気による冷却の程度）が海運手段や空運手段による輸送時より陸運手段による輸送時の方が小さい場合が多いことを考慮すると、第３の段階が、被輸送物質が陸上貨物として輸送される工程を有していると、海運手段や空運手段により輸送される場合に比べて、一時保管場所にて液体状態にされた又は液体状態で保管されていた被輸送物質のその液体状態が目的場所（即ち利用サイトと加工サイトの少なくとも一方）に到着するまでの間維持され易くなる。それ故、被輸送物質が利用サイトと加工サイトの少なくとも一方に液体状態で輸送されるという観点から、また一時保管場所で被輸送物質が液体状態にされる又は液体状態で保管されるように投入された熱エネルギーが有効活用されるという観点からも、より合理的であり、好ましい水和物生成薬剤の輸送が実現される（因みに、第３の段階で被輸送物質が陸上貨物として輸送されることに限定されるということは、逆にいえば、この限定がない他の形態においては、第３の段階で被輸送物質が陸上貨物として輸送される必要がないということでもある。）。
【００８３】
なお、陸運手段として保温機能を有するものが採用されると、被輸送物質が液体状態であり続けることができる時間が更に長くなる。その意味から、例えば一時保管場所と利用サイトと加工サイトの少なくとも一方との間の道程が長い場合には、保温機能を有する陸運手段の採用は望ましいものとなる。
【００８４】
本実施形態では、第３の段階の輸送に必要とされる時間が、第１の段階の輸送に必要とされる時間に比べて同じ又は短いものとすることが好ましい。
【００８５】
第３の段階の輸送に必要とされる時間が、第１の段階の輸送に必要とされる時間に比べて同じ又は短い場合には、第１の段階の輸送に必要とされる時間が相対的に長いと、輸送中に受ける外気の影響、特に外気による冷却の程度が相対的に大きくなり、被輸送物質が固体状態又はスラリ状態になり易いのが通常であるところ、第２の段階で被輸送物質が液体状態にされる又は液体状態に保管されると、それにより第１の段階の輸送時の外気の影響が実質的にない状態にすることができる（固体状態又はスラリ状態になったとしても融解されることになるからである）。そして、第３の段階の輸送に必要とされる時間が相対的に短いと、輸送中に受ける外気の影響、特に外気による冷却の程度が相対的に小さくなるのが通常であるので、一時保管場所にて液体状態にされた又は液体状態で保管されていた被輸送物質のその液体状態が目的場所（即ち利用サイトと加工サイトの少なくとも一方）に到着するまでの間維持され易くなる。それ故、被輸送物質が利用サイトと加工サイトの少なくとも一方に液体状態で輸送されるという観点から、また一時保管場所で被輸送物質が液体状態にされる又は液体状態で保管されるように投入された熱エネルギーが有効活用されるという観点からも、より合理的であり、好ましい水和物生成薬剤の輸送が実現される。
【００８６】
−変形例−
図２には、図１に示す第１の実施形態の変形例として、出荷地１、一時保管場所２、利用サイトあるいは加工サイト３がそれぞれ複数存在し、それ故に被輸送物質の可能輸送経路が複数存在する場合が示されている。図中、複数の出荷地１は、１（１），１（２），…，１（Ｘ１），…，１（Ｎ１）として、複数の一時保管場所２は、２（１），２（２），…，２（Ｘ２），…，２（Ｎ２）として、利用サイトあるいは加工サイト３は、３（１），３（２），…，３（Ｘ３），…，３（Ｎ３）としてそれぞれ示されており、出荷地１と一時保管場所２の間の可能輸送経路及び一時保管場所２と利用サイトあるいは加工サイト３との間の可能輸送経路は、それぞれ実線あるいは破線で示されている。
【００８７】
このように１→２→３の可能輸送経路が複数存在する場合には、その複数の経路のうち、上述した、第３の段階の輸送に必要とされる時間Ｔ＜２‐３＞が、第１の段階の輸送に必要とされる時間Ｔ＜１‐２＞に比べて同じ又は短くなる、即ちＴ＜２‐３＞≦Ｔ＜１‐２＞という条件が満たされる経路が選定される。この条件が満たされるがゆえに選定されるべき経路が複数存在する場合には、この条件が満たされている度合や、輸送費用、納期等のその他の条件との勘案で有利と認められる経路が選定され、最終的に一つのより好適な経路が選定される。この場合、その他の条件には、後述する、Ｔ＜２‐３＞≦Ｔ＜Ｌ‐Ｓ＞という条件も含まれる。
【００８８】
Ｔ＜２‐３＞≦Ｔ＜１‐２＞という条件が満たされるか否かという観点から輸送経路の候補を絞り込んでゆくのではなく、輸送費用、納期その他の条件が満たされるか否かという観点から輸送経路の候補が先ず絞り込まれて、その候補の中から、Ｔ＜２‐３＞≦Ｔ＜１‐２＞という条件が満たされるか否かという観点から、更に候補が絞り込こまれる、という手順で輸送経路が選定されてもよい。
【００８９】
また、本実施形態では、第３の段階の輸送に必要とされる時間Ｔ＜２‐３＞が、第２の段階において液体状態にされた又は液体状態で保管されていた被輸送物質が固体状態又はスラリ状態になるために必要とされる時間Ｔ＜Ｌ‐Ｓ＞と比べて同じ又は短いものであることが好ましい。
【００９０】
Ｔ＜２‐３＞がＴ＜Ｌ‐Ｓ＞と比べて同じ又は短いと、運輸手段として液体状態保持機能を有しないものが選択されても、被輸送物質が液体状態のままで利用サイトと加工サイトの少なくとも一方に輸送される。それ故、被輸送物質が利用サイトと加工サイトの少なくとも一方に液体状態で輸送されるという観点から、また一時保管場所で被輸送物質が液体状態にされる又は液体状態で保管されるように投入された熱エネルギーが有効活用されるという観点からも、より合理的であり、好ましい水和物生成薬剤の輸送を実現することができる。出荷地１、一時保管場所２、そして利用サイトあるいは加工サイト３がそれぞれ複数存在している例を示す図２において、既述したＴ＜２‐３＞≦Ｔ＜１‐２＞という条件が満たされる経路が選定される場合と同様に、１→２→３の輸送経路のうちＴ＜２‐３＞≦Ｔ＜Ｌ‐Ｓ＞という条件が満たされる経路が選定される。
【００９１】
一時保管場所が複数存在し利用サイトあるいは加工サイトが一つ存在する場合、一時保管場所が一つ存在し利用サイトあるいは加工サイトが複数存在する場合、或いは一時保管場所と利用サイトあるいは加工サイトがともに複数存在する場合のように、第３の段階の輸送に係る経路、即ち一時保管場所から利用サイトと加工サイトの少なくとも一方に至るまでの輸送経路が複数存在する場合には、その複数の輸送経路のうち、第３の段階の輸送に必要とされる時間Ｔ＜２‐３＞が第２の段階において液体状態にされた又は液体状態で保管されていた被輸送物質が固体状態又はスラリ状態になるために必要とされる時間Ｔ＜Ｌ‐Ｓ＞と比べて同じに又は短くなる、即ちＴ＜２‐３＞≦Ｔ＜Ｌ‐Ｓ＞という条件が満たされる経路が選定される。この条件が満たされるがゆえに選定されるべき経路が複数存在する場合には、この条件が満たされる度合や、輸送費用、納期等のその他の条件との勘案で有利と認められる経路が選定され、最終的に一つのより好適な経路が選定される。この場合、その他の条件には、上述した、Ｔ＜２‐３＞≦Ｔ＜１‐２＞という条件も含まれる。
【００９２】
Ｔ＜２‐３＞≦Ｔ＜Ｌ‐Ｓ＞という条件が満たされるか否かという観点から輸送経路の候補が絞り込まれてゆくのではなく、輸送費用、納期その他の条件が満たされるか否かという観点から輸送経路の候補が先ず絞り込まれて、その候補の中から、Ｔ＜２‐３＞≦Ｔ＜Ｌ‐Ｓ＞という条件が満たされるか否かという観点から、更に候補が絞り込まれる、という手順で輸送経路が選定されてもよい。
【００９３】
かくして図２には、太実線で結ばれた１（Ｎ１）→２（１）→３（２）が最終的に選定された輸送経路として例示されている。
【００９４】
＜第２の実施形態＞
図３には、第２の実施形態の基本構成が示されている。既述したように、第１の実施形態と共通部分には同一符号を付してその説明は省略してある。図３においては、出荷地１と一時保管場所２との間に、積込ポイント１１と荷卸ポイント１２が存在している。輸送に必要とされる時間Ｔは、図１の場合と同様の要領で、Ｔ＜１‐１１＞が出荷地１から積込ポイント１１までの輸送に必要とされる時間、Ｔ＜１１‐１２＞が積込ポイント１１から荷卸ポイント１２までの輸送に必要とされる時間、Ｔ＜１２‐２＞が  荷卸ポイント１２から一時保管場所２までの輸送に必要とされる時間として示されている。従って、出荷地１から一時保管場所２までの輸送に必要とされる時間Ｔ＜１‐２＞はＴ＜１‐１１＞＋Ｔ＜１１‐１２＞＋Ｔ＜１２‐２＞である。
【００９５】
本実施形態においては、被輸送物質が缶に収容されて、第１の段階では海上貨物又は航空貨物として、第３の段階では陸上貨物として、一時保管場所２を経由して利用サイトと加工サイトの少なくとも一方に輸送される。途中の一時保管場所２では、被輸送物質は液体状態にされる又は液体状態で保管される。そして、第３の段階の輸送に必要とされる時間Ｔ＜２‐３＞が、第１の段階の輸送に必要とされる時間Ｔ＜１‐２＞又は第２の段階において液体状態にされた又は液体状態で保管されていた被輸送物質が固体状態又はスラリ状態になるために必要とされる時間Ｔ＜Ｌ‐Ｓ＞に比べて同じ又は短い。即ち、Ｔ＜２‐３＞≦Ｔ＜１‐２＞又はＴ＜２‐３＞≦Ｔ＜Ｌ‐Ｓ＞という条件が満たされている。
【００９６】
本実施形態では、被輸送物質が（イ）缶に収容され、（ロ）第１の段階で海上貨物又は航空貨物として輸送され、（ハ）第３の段階で陸上貨物として輸送され、そして、（ニ）Ｔ＜２‐３＞≦Ｔ＜１‐２＞又はＴ＜２‐３＞≦Ｔ＜Ｌ‐Ｓ＞という条件が満たされるので、これらの（イ）乃至（ニ）について、それぞれに対応する第１の実施形態が奏する効果と同様の効果を奏する。
【００９７】
−変形例−
図４には、図３に示す第２の実施形態の変形例として、出荷地１、積込ポイント１１、荷卸ポイント１２、一時保管場所２及び利用サイトあるいは加工サイト３がそれぞれ複数存在し、それ故にそれらの間を結ぶ可能輸送経路が複数存在する場合が示されている。図中、複数の出荷地１は、１（１），１（２），…，１（Ｘ１），…，１（Ｎ１）として、複数の積込ポイント１１は１１（１），１１（２），…，１１（Ｘ１１），…，１１（Ｎ１１）として、複数の荷卸ポイント１２は１２（１），１２（２），…，１２（Ｘ１２），…，１２（Ｎ１２）として、複数の一時保管場所２は、２（１），２（２），…，２（Ｘ２），…，２（Ｎ２）として、利用サイトあるいは加工サイト３は、３（１），３（２），…，３（Ｘ３），…，３（Ｎ３）としてそれぞれ示されており、出荷地１と一時保管場所２の間の可能輸送経路及び一時保管場所２と利用サイトあるいは加工サイト３との間の可能輸送経路は、それぞれ実線あるいは破線で示されている。
【００９８】
図４に示す変形例は、図３に示す基本例と異なり、出荷地１から一時保管場所２までの間に、積込ポイント１１と荷卸ポイント１２がそれぞれ複数存在し、それらを結ぶ可能輸送経路も複数存在しているので、出荷地１から一時保管場所２を経由して利用サイトあるいは加工サイト３まで被輸送物質が輸送される際に選択可能な可能輸送経路も複数存在し、複雑になり易い。しかし、図３に示す基本例の場合と同様に、１→２→３の経路で被輸送物質が輸送される以上、Ｔ＜２‐３＞≦Ｔ＜１‐２＞又はＴ＜２‐３＞≦Ｔ＜Ｌ‐Ｓ＞という条件、特に望ましくはＴ＜２‐３＞≦Ｔ＜１‐２＞且つＴ＜２‐３＞≦Ｔ＜Ｌ‐Ｓ＞という条件が満たされるような輸送経路が選択される。この条件が満たされるがゆえに選定されるべき経路が複数存在する場合には、この条件が満たされる度合や、輸送費用、納期等のその他の条件との勘案で有利と認められる経路が選定され、最終的に一つのより好適な経路が選定される。
【００９９】
Ｔ＜２‐３＞≦Ｔ＜１‐２＞又はＴ＜２‐３＞≦Ｔ＜Ｌ‐Ｓ＞という条件（特に望ましくはＴ＜２‐３＞≦Ｔ＜１‐２＞且つＴ＜２‐３＞≦Ｔ＜Ｌ‐Ｓ＞という条件）が満たされるか否かという観点から輸送経路の候補が絞り込まれてゆくのではなく、輸送費用、納期その他の条件が満たされるか否かという観点から輸送経路の候補が先ず絞り込まれて、その候補の中から、＜２‐３＞≦Ｔ＜１‐２＞又はＴ＜２‐３＞≦Ｔ＜Ｌ‐Ｓ＞という条件（特に望ましくはＴ＜２‐３＞≦Ｔ＜１‐２＞且つＴ＜２‐３＞≦Ｔ＜Ｌ‐Ｓ＞という条件）が満たされるか否かという観点から、更に候補が絞り込まれる、という手順で輸送経路が選定されてもよい。
【０１００】
かくして図４には、太実線で結ばれた１（２）→１１（１）→１２（２）→２（Ｎ2）→３（２）が最終的に選定された輸送経路として例示されている。
【０１０１】
以上のような図４に示す変形例においても、図３に示す基本例と同様な効果を得る。
【０１０２】
＜第３の実施形態＞
図５には、第３の実施形態、即ち、水とともに輸送されてきた水和物生成薬剤が一時保管場所で保管された後、前記一時保管場所から中間の利用サイトと加工サイトの少なくとも一方に輸送された後に、利用サイトと加工サイトの少なくとも一方に輸送される場合、より具体的には、水とともに輸送されてきた水和物生成薬剤が一時保管場所２から中間の利用サイトあるいは加工サイト３１を経由して、利用サイトあるいは加工サイト３に輸送される場合が示されている。第３の実施形態は、２→３１→３の輸送経路、即ち第３の段階の輸送に係る経路、より具体的には、輸送の目的場所である利用サイトあるいは加工サイト３までの輸送経路が輸送経路に沿って二つに分離した点に特徴があり、一時保管場所２に被輸送物質に到達する前の段階（第１の段階）には特に制限はない。この意味から、例えば、図５（ａ）に示すように、１→２→３１→３の輸送経路により被輸送物質が輸送されてもよく、図５（ｂ）に示すように、１→１１→１２→２→３１→３の輸送経路により被輸送物質が輸送されてもよい（図５（ａ）及び同図（ｂ）に示されている輸送経路のうち第１の段階及び第２の段階に相当する経路は、それぞれ、図１に示す第１の実施形態及び図３に示す第２の実施形態の各基本構成におけるものと同じものであるので説明は省略する。）。
【０１０３】
本実施形態では、一時保管場所２で液体状態にされた又は液体状態で保管されていた被輸送物質が、まず、中間の利用サイトあるいは加工サイト３１に輸送され、そこで必要な利用あるいは加工又はその準備が施された後、目的場所である利用サイトあるいは加工サイト３に輸送される。
【０１０４】
被輸送物質が一時保管場所２から中間の利用サイトあるいは加工サイト３１を経由して利用サイトあるいは加工サイト３に輸送される例として、次のような二つのケースが挙げられる。
【０１０５】
［ケース１］
中間の利用サイトあるいは加工サイト３１が加工サイトに限定される場合である。例えば、水和物生成薬剤が液体状態で一時保管場所２ から中間の加工サイト３１に輸送された後、中間の加工サイト３１において所定の高濃度に調整され、そのように調整されて高濃度にされた水和物生成薬剤の水溶液が、従来技術（特許文献１）のように、利用サイトあるいは加工サイト３に輸送される場合が、このケースに該当する。
【０１０６】
水和物生成薬剤を溶質とする相対的に高濃度の水溶液を利用サイトに輸送し、その利用サイトにおいて当該水溶液を所望の濃度に希釈して利用するという従来技術（特許文献１参照）の場合であれば、当該利用サイトが本実施態様における利用サイトあるいは加工サイト３に対応し、水和物生成薬剤を溶質とする相対的に高濃度の水溶液を準備する作業場所が本実施態様における中間の加工サイト３１に対応し、水和物生成薬剤を溶質とする相対的に高濃度の水溶液を準備する作業が本実施態様における中間の加工サイト３１で行われる加工又はその準備の作業に対応する、と考えればよい。
【０１０７】
中間の利用サイトあるいは加工サイト３１における被輸送物質の加工又はその準備の作業としては、水和物生成薬剤の濃度を高める処理、脱臭処理、ｐＨ調整処理などである。
その他にも、利用された水和物生成薬剤の水溶液から当該水和物生成薬剤を再生又は回収する処理がある（この場合、次の利用サイトあるいは加工サイト３への再生又は回収された水和物生成薬剤が水溶液若しくは固体の状態で又はその他の状態で輸送されることになる）。
【０１０８】
［ケース２］
中間の利用サイトあるいは加工サイト３１が加工サイトに限定されない場合である。例えば、水和物生成薬剤が液体状態で一時保管場所２から中間の利用サイトあるいは加工サイト３１に輸送される。次いで、中間の利用サイトあるいは加工サイト３１において利用された後、次の利用サイトあるいは加工サイト３における利用に供するのに適した成分や濃度に調整される。そして、そのように成分や濃度が調整された水和物生成薬剤の水溶液が利用サイトあるいは 加工サイト３に輸送される場合が、このケースに該当する。
【０１０９】
本実施形態では、一時保管場所２から中間の利用サイトあるいは加工サイト３１までの輸送に必要とされる時間Ｔ＜２-３１＞が第２の段階において液体状態にされた又は液体状態で保管されていた被輸送物質が固体状態又はスラリ状態になるために必要とされる時間Ｔ＜Ｌ‐Ｓ＞に比べて同じ又は短い、即ち、Ｔ＜２‐３１＞≦Ｔ＜Ｌ‐Ｓ＞という条件が満たされている。このため、一時保管場所２にて液体状態にされた又は液体状態で保管されていた被輸送物質がその液体状態のままで中間の利用サイトあるいは加工サイト３１に輸送されることになり、そこで必要な加工又はその準備の作業に供されることになる（なお、第３の段階の輸送に必要とされる時間Ｔ＜２‐３＞がＴ＜２‐３１＞よりも短くなることはない、即ちＴ＜２‐３１＞≦Ｔ＜２‐３＞という関係があるので、第１の実施形態及び第２の実施形態において満たされることが好ましいとされたＴ＜２‐３＞≦Ｔ＜Ｌ‐Ｓ＞という条件は、本実施形態において満たされている。）。従って、本実施形態においては、被輸送物質がそのままでは利用若しくは加工又はその準備を行うことができない状態で中間の利用サイトあるいは加工サイト３１に輸送されることがないので、利用あるいは加工やその準備の作業を開始する前に当該被輸送物質を融解させて水溶液の状態に戻すといった余計な作業が中間の利用サイトあるいは加工サイト３１において無用になる。また、その結果又は副次的に、その場（３又は３１）で所望の濃度の水溶液を準備することができるというメリットを享受することができる。
【０１１０】
本実施形態において、被輸送物質が（イ）缶に収容され、（ロ）第１の段階で海上貨物又は航空貨物として輸送され、（ハ）第３の段階で陸上貨物として輸送され、そして、（ニ）Ｔ＜２‐３＞≦Ｔ＜１‐２＞又はＴ＜２‐３＞≦Ｔ＜Ｌ‐Ｓ＞という条件が満たされるのであれば、これらの（イ）乃至（ニ）について、それぞれに対応する第１の実施形態が奏する効果と同様の効果を奏する。
【０１１１】
中間の利用サイトあるいは加工サイト３１が複数存在し、従って一時保管場所２と中間の利用サイトあるいは加工サイト３１の間及び中間の利用サイトあるいは加工サイト３１と利用サイトあるいは加工サイト３との間のそれぞれの輸送経路が複数存在する場合、Ｔ＜２‐３＞≦Ｔ＜Ｌ‐Ｓ＞という条件が満たされるような輸送経路が選択される。この条件が満たされるがゆえに選定されるべき経路が複数存在する場合には、この条件が満たされる度合や、輸送費用、納期等のその他の条件との勘案で有利と認められる経路が選定され、最終的に一つのより好適な経路が選定される。この場合、その他の条件には、Ｔ＜２‐３＞≦Ｔ＜１‐２＞という条件も含まれる。
【０１１２】
国外から水和物生成薬剤を水溶液の状態で調達する場合、例えば出荷地１の国と、一時保管場所２の国又は利用サイトあるいは加工サイト３の国とが異なるケースがあり得る。例えば、当該国外のＡ国において、水和物生成薬剤の水溶液の状態で製造された薬剤溶液が、Ａ国の出荷地１からＡ国の積込港１１まで陸上輸送され、船積みされて当該国まで海上輸送され、当該国の港（荷卸港）１２で船卸しされて、港湾施設としての倉庫２において水溶液の状態にされ又は水溶液の状態で保管され、その後水和物生成薬剤が水溶液の状態で当該国内の利用サイトあるいは加工サイト３に直接又は中間の利用サイトあるいは加工サイト３１を経由して陸上輸送されるケースがあり得る。本発明の射程は、そのような場合やケースにも及ぶものである。
【０１１３】
本発明は、図面に記載された実施の形態や実施例に限定されない。また、本発明の技術的範囲は、これらの実施形態によって限定されるものではなく、発明の要旨を変更することなく様々な形態で実施することができる。更に本発明の技術的範囲は、均等の範囲にまで及ぶものであり、本発明に関する用語の定義はその均等の適用を妨げるものではない。
【産業上の利用可能性】
【０１１４】
水和物生成薬剤と水とが含まれる被輸送物質が出荷地から利用サイトあるいは加工サイトに輸送される産業分野で利用可能である。
【符号の説明】
【０１１５】
１  出荷地
１（１），１（２），…，１（Ｘ１），…，１（Ｎ１）  出荷地
１１  積込ポイント
１１（１），１１（２），…，１１（Ｘ１１），…，１１（Ｎ１１）  積込ポイント
１２  荷卸ポイント
１２（１），１２（２），…，１２（Ｘ１２），…，１２（Ｎ１２）  荷卸ポイント
２  一時保管場所
２（１），２（２），…，２（Ｘ２），…，２（Ｎ２）  一時保管場所
３  利用サイトあるいは加工サイト
３（１），３（２），…，３（Ｘ３），…，３（Ｎ３）  利用サイトあるいは加工サイト  
３１  中間の利用サイトあるいは加工サイト
Ｔ＜１‐２＞  第１の段階の輸送に必要とされる時間
Ｔ＜２‐３＞  第３の段階の輸送に必要とされる時間
Ｔ＜Ｌ‐Ｓ＞  一時保管場所において液体状態にされた又は液体状態で保管されていた被輸送物質が固体状態又はスラリ状態になるために必要とされる時間
【図１】
2011026026.tif 000003
【図２】
2011026026.tif 000004
【図３】
2011026026.tif 000005
【図４】
2011026026.tif 000006
【図５】
2011026026.tif 000007